(57)【特許請求の範囲】
【請求項１】
上部で支持可能となる既設橋梁を一方の端部を小ばらしした状態で、一方の端部から所定長さ位置ごとに分断して分断既設橋梁とし、この分断既設橋梁を一方端部側に移動させた位置で小ばらしすることで解体する橋梁の撤去工法であり、
既設橋梁の橋面に対して舗装版と床版を撤去して橋桁だけの状態にする先行工事と、
橋桁だけになった橋面の各横桁を交換及び撤去する横桁処理工程と、
橋脚上に工事桁用架台を設置する架台設置工程と、
前記架台設置工程後に既設橋梁の内側に一方端部から工事桁を継増ししながら送り込み、この工事桁を工事桁用架台で支持することにより、既設橋梁の全長にわたってこの全長に見合う長さの工事桁を挿通する工事桁設置工程と、
前記工事桁上にこの工事桁の長さ方向に走行可能となる台車を設置した状態で、既設橋梁の主構及び橋面を端部から所定距離の位置で分断して分断既設橋梁とし、この分断既設橋梁を台車で支持する分断工程と、
台車で支持した分断既設橋梁を台車の移動によって工事桁の一方端部に設定した仮置位置に移動させ、この仮置位置で分断既設橋梁を小ばらしして地上側に積み込み搬出する搬出工程とからなり、
前記分断工程と搬出工程を既設橋梁の長さ分だけ繰り返し行うことで既設橋梁の全長を撤去し、この後工事桁と工事桁用架台を撤去する既設橋梁の撤去工法。
【請求項２】
上部で支持可能となる既設橋梁を両方の端部を小ばらしした状態で、両方の端部から所定長さ位置ごとに分断して分断既設橋梁とし、この分断既設橋梁を既設橋梁の両方の端部側に移動させた位置で小ばらしすることで解体する橋梁の撤去工法であり、
既設橋梁の橋面から舗装版と床版を撤去して橋桁だけの状態にする先行工事と、
橋桁だけになった橋面の各横桁を交換及び撤去する横桁処理工程と、
橋脚上に工事桁用架台を設置する架台設置工程と、
既設橋梁の両端部から内側に工事桁を継増ししながら送り込み、この工事桁を工事桁用架台で支持すると共に両側工事桁の先端を互いに結合することにより、既設橋梁の全長にわたってこの全長に見合う長さの工事桁を挿通する工事桁設置工程と、
工事桁上にこの工事桁の長さ方向に走行可能となる複数台の台車を設置した状態で、既設橋梁の主構及び橋面を両端部から所定距離の位置で分断して分断既設橋梁とし、この分断既設橋梁を台車で支持する分断工程と、
各台車で支持した分断既設橋梁を台車の移動によって工事桁の両端部に設定した仮置位置にそれぞれ移動させ、前記仮置位置で分断既設橋梁を小ばらしして地上側に積み込み搬出する搬出工程とからなり、
前記分断工程と搬出工程を既設橋梁の両端部から長さ分だけ繰り返し行うことで既設橋梁の全長を撤去し、この後工事桁と工事桁用架台を撤去する既設橋梁の撤去工法。
【請求項３】
上記既設橋梁における橋桁の各横桁を交換した部分は、分断した既設橋梁を台車によって工事桁の仮置位置に移動させる場合の工事桁用架台との干渉を逃がすためのものであり、分断した横桁の残した部分を着脱可能となる連結材で結合した構造を有し、各横桁を交換した部分は工事桁用架台を通過する際に連結材の盛り替えを行う請求項１又は２に記載の既設橋梁の撤去工法。
【請求項４】
上記橋脚の上に脚周り足場を設置し、この足場上で各横桁の盛り替え作業を行う請求項１乃至３の何れかに記載の既設橋梁の撤去工法。
【請求項５】
上記工事桁上に設置した台車は、工事桁の上面に設けたレールに沿って走行する自走台車とこれに連結した追従台車からなり、分断既設橋梁の主構を自走台車と追従台車により複数箇所を支持した状態で、工事桁の端部に設定した仮置位置に移動させる請求項１乃至４の何れかに記載の既設橋梁の撤去工法。
【請求項６】
上部で支持可能となる橋梁を端部から所定長さごとに分断した状態の短尺橋梁を組立て、これを順送りして連結することで橋梁を組み立てる橋梁の新設工法であり、
両側の橋台間に位置する橋脚の上に工事桁用架台を設置する架台設置工程と、
前記架台設置工程後に一方の橋台側から工事桁を継増ししながら送り込み、この工事桁を工事桁用架台で支持することにより、両側の橋台間の全長にわたってこの全長に見合う長さの工事桁を挿通する工事桁設置工程と、
前記工事桁上にこの工事桁の長さ方向に走行可能となる台車を設置した状態で、工事桁の一端側で所定長さごとに分断した状態の短尺橋梁を組立て、この短尺橋梁を台車で支持する組立て工程と、
前記台車で支持した短尺橋梁を台車の移動によって工事桁の他方端部側に向けて移動させ、橋台と橋脚の間及び橋脚間に設置する搬入工程とからなり、
前記短尺橋梁の組立て工程と搬入工程を必要長さの橋梁になるまで繰り返し行い、各短尺橋梁を接続することで橋梁の全長を組立て、この後工事桁と工事桁用架台を撤去する橋梁の新設工法。
【発明の詳細な説明】
【技術分野】
【０００１】
この発明は、トラス橋などの上部で支持可能な構造の橋梁である既設橋梁の撤去工法と橋梁の新設工法、更に詳しくは、移動式クレーン、大型クレーン、ケーブルクレーン等を極力使用しないと共に、橋梁の下面のスペースを使用しないで、橋台、橋脚の天端から上面での作業で既設橋梁を撤去又は新設することができる橋梁の撤去工法と新設工法に関する。
【背景技術】
【０００２】
既設橋梁を解体して撤去する従来の一般的な撤去工法としては、（１）既設橋梁をクレーンで小ばらしする工法、（２）大型クレーンで既設橋梁を一括撤去する工法、（３）ケーブルクレーンで撤去する工法が採用されている。
【０００３】
（１）のクレーンで小ばらしする工法は、ベントと呼ばれる支保工で橋梁を支えるか、橋台や橋脚部に鉄塔を建て、その先端部からワイヤで橋梁を吊下げ、移動式クレーンで撤去する工法であるが、橋梁の側面に移動式クレーンが近接設置できることが条件となるため、クレーンヤードや河川内であれば桟橋の設置が必要になり、このため、設備の構築に手間とコストがかかるという問題がある。
【０００４】
（２）の大型クレーンで既設橋梁を一括撤去する工法は、既設橋梁の近接位置に大型クレーンを設置し、このクレーンに吊下げた連続桁や単純桁で既設橋梁の約１径間分のブロックを吊上げて撤去する工法であるが、大型クレーンクレーンの組み立て・解体ヤードが必要となり、施工可能な条件に制約を受けると共に、大きな河川にかかる橋梁の場合、クレーンの作業能力によっては不可能となるという問題がある。
【０００５】
（３）のケーブルクレーンで撤去する工法は、ベントが建てられない現場や大型クレーンの設置が不可能な現場に採用するものであり、ケーブルクレーンを組み立て、鉄塔先端部からケーブルによる斜め吊りや直吊り橋梁を吊下げて、ケーブルクレーンで小ばらしする工法であるが、ケーブルクレーンの組み立て・解体作業が必要になり、手間と時間がかかると共に、大きな河川にかかる橋梁には適さないという問題がある。
【０００６】
このような、従来の一般的な撤去工法とは別に、複数のトラス橋が長手方向に接続されて構成された橋梁の撤去工法が提案されている。
【０００７】
この撤去工法は、除去の対象となるトラス橋の全長及び隣接するトラス橋にわたって支持構造物を配置し、この支持構造物を橋脚で支持すると共に、除去の対象となるトラス橋の一端側に解体に必要な機材、重機を配置するための大型のトラックを設け、更に、橋梁の全長にわたってケーブルクレーンを設置することにより実施される（例えば、特許文献１参照）。
【０００８】
上記支持構造物は、長方形のパネル体を用い、厚み方向に接続したり長さ方向に接続することにより、長さ及び厚みを変化させたり上下にも所望の高さとすることができる構造になっており、また、上記ケーブルクレーンは、橋梁の全長における両端の橋脚上に門型鉄塔を立設し、この門型鉄塔間にケーブルを張り渡し、ケーブルに吊下げのためのフック等が設けられたキャリアを移動可能に取付けた構造になっている。
【０００９】
撤去を行うには、上記ケーブルクレーンを用い、解体しようとするトラス橋と隣接するトラス橋とにわたって支持構造物を設置してこれを橋脚で支持し、この状態で、解体しようとするトラス橋の主構を解体してケーブルクレーンで橋梁の一端側に搬送し、この後、橋桁を支持構造物の下部に吊下げ支持させた状態で橋桁の両端を切断し、これによって除去の対象となるトラス橋の橋桁を橋梁から切り離し、この支持された橋桁をケーブルクレーンで吊下げた橋梁の一端側に搬送して除去すればよく、各トラス橋ごとに上記のような工程を繰り返すことにより、橋梁を撤去するものである。
【００１０】
このような撤去工法は、河川にかかる橋梁や橋梁側面にクレーンの設置ヤードがない現場において有効であり、また、橋梁の下面のスペースを使用しないで、橋台、橋脚の天端から上面での作業で既設橋梁を撤去することができ、河川内で渇水期施工の期間制約を受ける現場においても、制約を受けないために出水期での施工が可能であるという利点がある。
【先行技術文献】
【特許文献】
【００１１】
【特許文献１】特開２００６−２１４１１３号公報
【発明の概要】
【発明が解決しようとする課題】
【００１２】
しかしながら、上記した撤去工法は、解体しようとするトラス橋と隣接するトラス橋とにわたって設置する支持構造物をケーブルクレーンで設置するようにしているが、トラス橋の主構は両側の上弦が横在によって結合された構造になっており、支持構造物をケーブルクレーンで橋梁の目的の位置にまで移動させることは至難の業であり、実際の作業に困難を伴うものである。
【００１３】
また、解体しようとするトラス橋の主構をこのトラス橋の元の位置で解体し、これをケーブルクレーンで橋梁の一端側に搬送するため、解体した部材の搬送距離が長くなり、しかも、搬送回数が多くなることで作業能率が悪くなる。
【００１４】
更に、解体した部材や切断した橋桁を吊下げて搬送するために大型のケーブルクレーンが必要になり、このような大型ケーブルクレーンの組み立て・解体作業には手間と時間がかかると共に、設備コストも高くなり、大きな河川にかかる橋梁には適さないという問題がある。
【００１５】
そこで、この発明の課題は、主構の上部で支持可能な既設橋梁の撤去において、所定の長さに分断した橋梁を工事桁に沿って陸地側に移動させることにより、橋梁の構造に制約を受けることなく分断した橋梁を簡単確実に陸地側へ移動させることができ、かつ、この陸地側の位置で分解することにより、解体作業の能率向上が図れると共に、移動式クレーン、大型クレーン、ケーブルクレーン等を極力使用しないで施工することで、設備コスト及び作業コストの削減を実現できる橋梁の撤去工法と、この撤去工法の実施に使用する機材を用いた橋梁の新設工法を提供することにある。
【課題を解決するための手段】
【００１６】
上記のような課題を解決するため、請求項１の撤去工法の発明は、上部で支持可能となる既設橋梁を一方の端部を小ばらしした状態で、一方の端部から所定長さ位置ごとに分断して分断既設橋梁とし、この分断既設橋梁を一方端部側に移動させた位置で小ばらしすることで解体する橋梁の撤去工法であり、既設橋梁の橋面に対して舗装版と床版を撤去して橋桁だけの状態にする先行工事と、橋桁だけになった橋面の各横桁を交換及び撤去する横桁処理工程と、橋脚上に工事桁用架台を設置する架台設置工程と、前記架台設置工程後に既設橋梁の内側に一方端部から工事桁を継増ししながら送り込み、この工事桁を工事桁用架台で支持することにより、既設橋梁の全長にわたってこの全長に見合う長さの工事桁を挿通する工事桁設置工程と、前記工事桁上にこの工事桁の長さ方向に走行可能となる台車を設置した状態で、既設橋梁の主構及び橋面を端部から所定距離の位置で分断して分断既設橋梁とし、この分断既設橋梁を台車で支持する分断工程と、台車で支持した分断既設橋梁を台車の移動によって工事桁の一方端部に設定した仮置位置に移動させ、この仮置位置で分断既設橋梁を小ばらしして地上側に積み込み搬出する搬出工程とからなり、前記分断工程と搬出工程を既設橋梁の長さ分だけ繰り返し行うことで既設橋梁の全長を撤去し、この後工事桁と工事桁用架台を撤去するようにしたものである。
【００１７】
請求項２の撤去工法の発明は、上部で支持可能となる既設橋梁を両方の端部を小ばらしした状態で、両方の端部から所定長さ位置ごとに分断して分断既設橋梁とし、この分断既設橋梁を既設橋梁の両方の端部側に移動させた位置で小ばらしすることで解体する橋梁の撤去工法であり、既設橋梁の橋面から舗装版と床版を撤去して橋桁だけの状態にする先行工事と、橋桁だけになった橋面の各横桁を交換及び撤去する横桁処理工程と、橋脚上に工事桁用架台を設置する架台設置工程と、既設橋梁の両端部から内側に工事桁を継増ししながら送り込み、この工事桁を工事桁用架台で支持すると共に両側工事桁の先端を互いに結合することにより、既設橋梁の全長にわたってこの全長に見合う長さの工事桁を挿通する工事桁設置工程と、工事桁上にこの工事桁の長さ方向に走行可能となる複数台の台車を設置した状態で、既設橋梁の主構及び橋面を両端部から所定距離の位置で分断して分断既設橋梁とし、この分断既設橋梁を台車で支持する分断工程と、各台車で支持した分断既設橋梁を台車の移動によって工事桁の両端部に設定した仮置位置にそれぞれ移動させ、前記仮置位置で分断既設橋梁を小ばらしして地上側に積み込み搬出する搬出工程とからなり、前記分断工程と搬出工程を既設橋梁の両端部から長さ分だけ繰り返し行うことで既設橋梁の全長を撤去し、この後工事桁と工事桁用架台を撤去するようにしたものである。
【００１８】
請求項３の撤去工法の発明は、上記既設橋梁における橋桁の各横桁を交換した部分は、分断した既設橋梁を台車によって工事桁の仮置位置に移動させる場合の工事桁用架台との干渉を逃がすためのものであり、分断した横桁の残した部分を着脱可能となる連結材で結合した構造を有し、各横桁を交換した部分は工事桁用架台を通過する際に連結材の盛り替えを行うようにしたものである。
【００１９】
請求項４の撤去工法の発明は、上記橋脚の上に脚周り足場を設置し、この足場上で各横桁の盛り替え作業を行うようにしたものである。
【００２０】
請求項５の撤去工法の発明は、上記工事桁上に設置した台車は、工事桁の上面に設けたレールに沿って走行する自走台車とこれに連結した追従台車からなり、分断既設橋梁の主構を自走台車と追従台車により複数箇所を支持した状態で、工事桁の端部に設定した仮置位置に移動させるようにしたものである。
【００２１】
ここで、撤去対象となる既設橋梁は、橋台と橋脚で支持された橋面と、この橋面の両側から上面にわたって設けた主構とで構成され、前記橋面は、幅方向に一定間隔の配置で長さ方向の全長に沿う多数本の主桁と、長さ方向に一定間隔の配置で前記主桁が並列する幅方向に長い多数本の横桁とで形成された橋桁に、舗装や床版コンクリートを設けた構造を有し、前記主構は各種鋼材を用いてトラス状に組立てられている。
【００２２】
橋脚上に設ける工事桁用架台は、上記既設橋梁の幅方向に沿って複数のベント柱を橋面の主桁間に納まる配置で立設し、既設橋梁の幅方向に長い支持台を各ベント柱の上端で支持した構造になっていると共に、この橋脚の上部周囲に、足場板や手摺りからなる脚周り足場が設置される。
【００２３】
上記工事桁は、所要長さを有する断面角形で順次継ぎ足すことにより必要な長さが得られるようになっており、上面には自走台車と追従台車が長さ方向に沿って移動するためのレールが設けられた構造を有し、既設橋梁の端部陸地上に工事桁を初期長さで設置し、この工事桁を既設橋梁内に向けて送り出すと共に継増しを行うことで、既設橋梁内の全長を貫通するように工事桁を配置するものであり、このため、既設橋梁の端部地上には、工事桁を既設橋梁内に向けて送り出すための送り出し設備を予め設置しておく。
【００２４】
上記既設橋梁における床構造は、舗装版と床版を撤去した後、各横桁の撤去と盛り替え構造との交換を交互に行い、分断既設橋梁の仮置位置への移動時において工事桁用架台に対する横桁の干渉を逃がすようにし、前記盛り替え構造は分断既設橋脚の仮置位置への移動時における強度を維持し、仮置位置への移動時における作業の安全性を確保するものである。
【００２５】
この横桁の盛り替え構造は、横桁に対して工事桁用架台との干渉が生じる位置に上下部分を残して角孔を加工し、この角孔の部分に横方向の連結材を掛渡してその両端を角孔の両側位置で横梁にボルト結合し、この後、横桁の角孔上下に残した部分を撤去することで、横桁の分断した部分を連結材で結合するようにしたものであり、横桁が工事桁用架台を通過するときにボルトによって連結材の着脱作業を行なうようにする。
【００２６】
上記自走台車はモータによって駆動され、この自走台車と追従台車は、所定の間隔を保つように連結軸を介して接続され、工事桁の上面に設けたレールに沿って工事桁の長さ方向に移動可能となり、分断既設橋梁における主構の上部複数箇所を支持し、この分断既設橋梁を工事桁の端部に設定された仮置位置に移送することになり、仮置位置に移動した分断既設橋梁は、主構を小ばらししてこれを地上側に待機する運搬車両に積み込んで搬出する。
【００２７】
更に、請求項６の新設後方の発明は、上部で支持可能となる橋梁を一方の端部から所定長さごとに分断した状態の短尺橋梁を組立て、これを他方の端部に向けて順送りして連結することで橋梁を組み立てる橋梁の新設工法であり、両側の橋台間に位置する橋脚の上に工事桁用架台を設置する架台設置工程と、前記架台設置工程後に一方の橋台側から工事桁を継増ししながら送り込み、この工事桁を工事桁用架台で支持することにより、両側の橋台間の全長にわたってこの全長に見合う長さの工事桁を挿通する工事桁設置工程と、前記工事桁上にこの工事桁の長さ方向に走行可能となる台車を設置した状態で、工事桁の一端側で所定長さごとに分断した状態の部分橋梁を組立て、この部分橋梁を台車で支持する組立て工程と、前記台車で支持した部分橋梁を台車の移動によって工事桁の他方端部側に向けて移動させ、橋台と橋脚の間及び橋脚間に設置する搬入工程とからなり、前記部分橋梁の組立て工程と搬入工程を必要長さの橋梁になるまで繰り返し行い、各部分橋梁を接続することで橋梁の全長を組立て、この後工事桁と工事桁用架台を撤去するようにしたものである。
【発明の効果】
【００２８】
この発明の撤去工法によると、工事桁を橋脚上に設けた工事桁用架台で支持することにより既設橋梁の全長にわたって挿通し、端部から所定距離の位置で分断して分断既設橋梁を工事桁上の台車で支持し、この分断既設橋梁を台車で支持して工事桁の地上側端部に設定した仮置位置に移動させ、前記仮置位置で分断既設橋梁の小ばらしして地上側に積み込み搬出し、これを既設橋梁の長さ分だけ繰り返し行うことで既設橋梁の全長を撤去し、この後工事桁と工事桁用架台を撤去するようにしたので、移動式クレーン、大型クレーン、ケーブルクレーン等を極力使用することなく、主構の上部で支持可能な構造の既設橋梁を効率よく撤去することができる。
【００２９】
また、既設橋梁の全長にわたって工事桁を挿通し、この工事桁上に配置した台車で分断既設橋梁を支持して仮置位置に移送し、前記仮置位置で分断既設橋梁の小ばらしを行うので、既設橋梁の撤去に要する作業の全てが既設橋梁の端部側から行えることになり、河川にかかる橋梁や橋梁側面にクレーンの設置ヤードがない現場において有効である。
【００３０】
更に、既設橋梁の撤去が既設橋梁の端部側から行えることにより、橋梁の下面のスペースを使用しないで、橋台、橋脚の天端から上面での作業で既設橋梁を撤去することができ、河川内で渇水期施工の期間制約を受ける現場においても、制約を受けないために出水期での施工が可能となる。
【００３１】
また、この発明の新設工法によると、工事桁の一端側で順次組立てた部分橋梁を他端側に移動させ、部分橋梁を橋台と橋脚間又は橋脚間に架設すると共に部分橋梁を連結することで橋梁を組立てるようにしたので、移動式クレーン、大型クレーン、ケーブルクレーン等を極力使用することなく、橋梁を効率よく新設することができ、橋梁の下面のスペースを使用しないで、橋台、橋脚の天端から上面での作業で橋梁を組立てることができるので、河川内で渇水期施工の期間制約を受ける現場においても、制約を受けないために出水期での施工が可能となる。
【図面の簡単な説明】
【００３２】
【図１】（ａ）はこの発明の第１の撤去工法によって撤去する既設橋梁の一例を示す縦断正面図、（ｂ）は作業台車上で工事桁の継増作業を行っている状態を示す拡大した縦断正面図
【図２】（ａ）は上記既設橋梁の一部を拡大した撤去途中の状態を示す正面図、（ｂ）は既設橋梁の拡大した縦断側面図
【図３】上記既設橋梁の一部を更に拡大した撤去途中の状態を示す正面図
【図４】上記既設橋梁の一部を更に拡大した撤去途中の状態を示す自走台車部分での縦断側面図
【図５】図４の矢印ｖ−ｖでの横断平面図
【図６】上記既設橋梁の一部を更に拡大した撤去途中の状態を示す追従台車部分での縦断側面図
【図７】上記既設橋梁の橋桁における横桁に施す盛り替え構造の加工工程を示し、(ａ)は横桁に四角孔を設けた状態の拡大した縦断面図、（ｂ）は四角孔を設けた部分に連結材を架設した状態の拡大した縦断面図、（ｃ）は横桁における四角孔の上下を切り取り、分断した横桁を連結材で結合した状態の拡大した縦断面図
【図８】この発明の撤去工法の施工工程を示し、（ａ）は撤去する既設橋梁の縦断正面図、（ｂ）は既設橋梁の舗装版や床版を搬出している状態の縦断正面図
【図９】（ａ）は撤去する既設橋梁の一方端部側に吊上げ設備を設置した縦断正面図、（ｂ）は橋脚に脚周り足場及び工事桁用架台を設置し、既設橋梁の一方端部側に短尺工事桁を配置した状態の縦断正面図、（ｃ）は短尺工事桁を結合して初期長さの工事桁にした状態の縦断正面図
【図１０】（ａ）は既設橋梁に向けて工事桁を送り込む初期の状態を示す縦断正面図、（ｂ）と（ｃ）は既設橋梁に向けて工事桁を送り込む途中の状態を示す縦断正面図
【図１１】（ａ）は既設橋梁に向けて工事桁を送り込む終盤の状態を示す縦断正面図、（ｂ）は既設橋梁に向けて工事桁を貫通させた状態を示す縦断正面図、（ｃ）は工事桁の一方端部上に台車を設置した状態を示す縦断正面図
【図１２】（ａ）は既設橋梁の一方端部を小ばらしする状態の縦断正面図、（ｂ）は既設橋梁を第１の橋脚の部分で分断し、分断機瀬橋梁を工事桁の一方端部に設定した仮置き位置に移動させ、これを小ばらしする状態の縦断正面図、（ｃ）は既設橋梁を第２の橋脚の部分で分断し、分断機瀬橋梁を工事桁の一方端部に設定した仮置き位置に移動させ、これを小ばらしする状態の縦断正面図
【図１３】（ａ）は既設橋梁を第３の橋脚の部分で分断し、分断機瀬橋梁を工事桁の一方端部に設定した仮置き位置に移動させ、これを小ばらしする状態の縦断正面図、（ｂ）は既設橋梁を最後の分断機瀬橋梁を工事桁の一方端部に設定した仮置き位置に移動させ、これを小ばらしする状態の縦断正面図、（ｃ）は既設橋梁がなくなった撤去状態の縦断正面図
【図１４】（ａ）は工事桁を引き戻して撤去する途中の状態を示す縦断正面図、（ｂ）は工事桁を撤去した状態を示す縦断正面図、（ｃ）は既設橋梁の撤去工事完了状態を示す縦断正面図
【図１５】この発明の第２の撤去工法を示し、既設橋梁を両端から小ばらしして分断し、分断機瀬橋梁を工事桁の両側端部に設定した仮置き位置に移動させ、これを小ばらしする状態の縦断正面図、（ｂ）は同上の一方端部を拡大した縦断正面図
【図１６】この発明にかかる新設工法の施工工程を示し、（ａ）は橋台と橋脚が設けられた河川の状態を示す縦断正面図、（ｂ）は河川の一方側陸地に吊上げ設備を設置した縦断正面図、（ｃ）は橋脚上に工事桁を送り込む途中の状態を示す縦断正面図
【図１７】（ａ）は河川に掛け渡した工事桁上に台車を設置した状態を示す縦断正面図、（ｂ）は工事桁の一方端部で第１の部分橋梁の組み立てを行う状態を示す縦断正面図、（ｃ）は工事桁の他方端部に第１の部分橋梁を送り込み、一方の端部で第２の部分橋梁の組み立てを行う状態を示す縦断正面図
【図１８】（ａ）は工事桁の他方端部に第２の部分橋梁を送り込み、一方の端部で第３の部分橋梁の組み立てを行う状態を示す縦断正面図、（ｂ）は工事桁の他方端部に第３の部分橋梁を送り込み、一方の端部で第４の部分橋梁の組み立てを行う状態を示す縦断正面図、（ｃ）は新設橋梁の接続状態を示す縦断正面図
【図１９】（ａ）は工事桁を引き戻して撤去する途中の状態を示す縦断正面図、（ｂ）は工事桁を引き戻して撤去する最終段階の状態を示す縦断正面図（ｃ）は完成した新設橋梁に対して脚周り足場及び工事桁用架台を取り除く前の状態を示す縦断正面図
【発明を実施するための形態】
【００３３】
以下、この発明の実施の形態を図示例と共に説明する。
【００３４】
先ず、図１（ａ）は、撤去せんとする既設橋梁１の一例として河川に掛かる橋梁を示し、川幅の両端に設けた橋台Ａ１、Ａ２とその途中に設けた複数の橋脚で支持された橋面２と、この橋面２の両側から上部に設けた主構３とで構成され、例えば、主構３の上部で吊下げ状に支持することができる構造のトラス橋やアーチ橋等である。
【００３５】
図１（ａ）において、上記橋脚は、既設橋梁１の長さ方向に沿って、図１（ａ）の左側である一方の端部側から順に第１の橋脚Ｐ１、第２の橋脚Ｐ２、第３の橋脚Ｐ３とし、既設橋梁１は橋台Ａ１、Ａ２間の全長を撤去するものとする。
【００３６】
上記既設橋梁１における橋面２は、幅方向に一定間隔の配置で長さ方向の全長に沿う多数本の主桁４と、長さ方向に一定間隔の配置で前記主桁４が並列する幅方向に長い多数本の横桁５とで形成された橋桁６に、図２（ｂ）のように舗装や床版コンクリート６ａを設けた構造になっている。
【００３７】
また、上記主構３は各種鋼材を用いて構成されており、図示の場合、橋面２の上部で長さ方向に沿う上弦材７と橋面２の側面を縦材８と斜材９で結合したトラス状の両側面部１０と、両側の上弦材７を横材と斜材で結合したトラス状の上面部１１で組立てられた例を示している。
【００３８】
次に、上記既設橋梁１の撤去工法の実施に用いる機材としては、既設橋梁１内に対して長さ方向の全長にわたるよう挿通させる工事桁１２と、この工事桁１２の接続解体や既設橋梁１を支持して送り出し及び引戻しを行うための作業台車３０と、各橋脚Ｐ１〜Ｐ３の上部に設けられ、前記工事桁１２を支持する工事桁用架台１３と、前記橋脚Ｐ１〜Ｐ３の上に設ける脚周り足場１４と、前記工事桁１３の上面に設置され、この工事桁１３の長さ方向に走行する台車１５と、前記既設橋梁１の一方端部の陸上に配置され、工事桁１２の送り出しや撤去を行う送り出し設備１６及び、前記台車１５の工事桁１２上への積み込みや既設橋梁１の小ばらし時に、台車１５や既設橋梁１を吊上げるための吊上げ設備１７が用意される。
【００３９】
上記工事桁１２は、図２乃至図４のように、所要長さを有する角形筒を二台並列させた断面形状の短尺工事桁１２ａを用い、この短尺工事桁１２ａをボルト等で締結して順次継増しを行うことにより、既設橋梁１の全長を貫通するのに必要な長さが得られるようになっており、その上面には台車１５が長さ方向に沿って移動するための複数条のレール１８が設けられている。
【００４０】
上記作業台車３０は、図１（ｂ）のように、既設橋梁１の一方端部側の陸上でこの既設橋梁１の長さ方向に沿うよう敷設したレール３１上に複数台が設置され、短尺工事桁１２ａの接続時に短尺工事桁１２ａを支持して継増し作業を行い、工事桁１２を既設橋梁１内に向けて送り出すときの移動を誘導し、工事桁１２の引き戻し時にこれを支持して短尺工事桁１２ａに解体する作業を行うためのものであり、前記工事桁１２を作業台車３０で既設橋梁１内に向けて送り出すとき、重量のバランスを取るため、例えば、工事桁１２の陸上にある後端側の部分を長くしたり、工事桁１２の後端側にウエイト３２を載置する方法が採られる。
【００４１】
上記工事桁用架台１３は、図３と図４に示すように、既設橋梁１の幅方向に沿って複数のベント柱１９を橋面２の主桁４間に納まる配置で橋脚Ｐ１〜Ｐ３の上面に立設し、既設橋梁１の幅方向に長い支持台２０を各ベント柱１９の上端で水平に支持し、この支持台２０の上に工事桁１２を支持するジャッキのような複数の支持部材２１を設けた構造になっている。
【００４２】
上記脚周り足場１４は、図４と図５のように、足場板２２や手摺り２３からなり、足場板２２は橋脚Ｐ１〜Ｐ３の上面から既設橋梁１の長さ方向に沿って両側に張り出すように設置され、手摺り２３はこれら足場板２２の上部周囲を囲むように設けられている。
【００４３】
上記台車１５は、モータによって駆動される自走台車１５ａと複数台の追従台車１５ｂからなり、自走台車１５ａと追従台車１５ｂの上面には、既設橋梁１を主構３の上部の部分で吊下げ状に支持するためのジャッキ２４が複数設けられ、この自走台車１５ａと追従台車１５ｂ及び追従台車１５ｂ同士は、所定の間隔を保つように連結軸１５ｃを介して接続され、工事桁１２の上面に設けたレール１８に沿って工事桁１２の長さ方向に移動可能となる。
【００４４】
図４と図６及び図７は、既設橋梁１の撤去に際して、この既設橋梁１における橋面２の横桁５に施す除去構造と盛り替え構造を示している。
【００４５】
上記除去構造は、図４のように、横桁５に対して工事桁用架台１３のベント柱１９との干渉が生じる位置を、両側主桁４の幅で切断除去したものである。
【００４６】
また、盛り替え構造は、図７（ａ）〜（ｃ）のように、横桁５に対して工事桁用架台１３のベント柱１９との干渉が生じる位置に、図７（ａ）のごとく、両側主桁４の幅で上下部分を残して四角孔２５をガス切断によって加工すると共に、この四角孔２５を挟む両側の位置にボルト孔２６を穿設し、次に、図７（ｂ）のごとく、前記四角孔２５の一面側にチャンネル材を用いた連結材２７を横方向に掛渡し、前記ボルト孔２６を利用して連結材２７の両端を四角孔２５の両側位置で横梁５にボルト、ナット２８で着脱可能に結合し、この後、図７（ｃ）のごとく、横桁５における四角孔２５の上下に残した部分５ａを撤去することにより形成され、分断した横桁５を交換した連結材２７で連結しておくことで、撤去作業中における既設橋梁１の強度を一定に保ち、横桁５が工事桁用架台１３を通過するときにボルト、ナット２８によって連結材２７の着脱作業を行なうようにする。
【００４７】
なお、横桁５に対する除去構造と盛り替え構造は、各横桁５の配置に対して除去構造と盛り替え構造を交互に施すものに限るものではなく、撤去作業中における既設橋梁１の強度を保てる場合は、盛り替え構造を横桁５の複数本おきに設定し、盛り替え作業の減少により撤去作業の能率化を図るようにしてもよい。
【００４８】
次に、既設橋梁１の解体撤去をこの既設橋梁１の一方端部から行う第１の撤去工法を図８乃至図１４の工程図を主体に用いて説明する。
【００４９】
図８（ａ）は撤去せんとする既設橋梁１を示し、図８（ｂ）のように、先ず、先行工事として、既設橋梁１における高欄、舗装版、床版を搬出用に他方端部側から順次切断し、これらをトラックのような搬送手段を用いて既設橋梁１の一方端部における陸地側に撤去搬出することにより、橋面２を橋桁６だけの状態にする先行工事を行なう。
【００５０】
上記先行工事の実施時において、舗装版、床版の撤去作業と同時に、残っている舗装版、床版上を利用して橋脚Ｐ１〜Ｐ３上に脚周り足場１４及び工事桁用架台１３を設置すると共に、橋桁６における各横桁５に対して撤去構造と盛り替え構造の何れかを実施する。
上記工事桁用架台１３は、図３と図４で示したように、各ベント柱１９が橋桁６の主桁４間に納まるように各橋脚Ｐ１〜Ｐ３上に配置され、また、横桁５の除去構造は、図４のように、この各ベント柱１９と対応する部分が主桁４間において切断除去し、かつ、横桁５の盛り替え構造は、図６と図７のように、各ベント柱１９と対応する部分を切断除去して連結材２７に交換するものである。
【００５１】
次に、既設橋梁１の一方端部における陸地上に、図１（ｂ）で示したごとくレール３１を既設橋梁１の長さ方向に沿うように敷設し、その上に必要な台数の作業台車３０を載置し、更に、図９（ａ）のように、前記レールの近傍に送り出し設備１６と吊上げ設備１７を設置する。
【００５２】
図９（ｂ）のように、既設橋梁１の一方端部における作業台車３０上に短尺工事桁１２ａを搬入し、図９（ｃ）のように、この短尺工事桁１２ａを吊上げ設備１７で作業台車３０上に載せ、作業台車３０で支持した状態で順次結合することにより長さＬの初期工事桁１２ｂを組み立て、その長さ方向を既設橋梁１の長さ方向に沿った配置とし、この初期工事桁１２ｂを送り出し設備１６で既設橋梁１内に向けて作業台車３０と共に所定長さを送り出し、レール３１の先端で作業台車３０を取り除いて後ろに廻し、停止した初期工事桁１２ｂの後端に短尺工事桁１２ａを継ぎ増し設置し、このようにして、短尺工事桁１２ａの送り出しと継ぎ増しを交互に繰り返すことにより、図１０と図１１のように、既設橋梁１の全長にわたって工事桁１２を貫通するように挿入する。
【００５３】
既設橋梁１に対して送り出される工事桁１２は、陸地上にある部分が作業台車３０で支持され、送り出しの進行と共にその先端が第１の橋脚Ｐ１、第２の橋脚Ｐ２、第３の橋脚Ｐ３と通過していくごとに、これら第１の橋脚Ｐ１、第２の橋脚Ｐ２、第３の橋脚Ｐ３に設けた工事桁用架台１３によって順次支持され、長尺の工事桁１２を撓まないようにして既設橋梁１の全長に効率よく貫通させることができる。
上記工事桁１２を陸地上から第１の橋脚Ｐ１に向けて送り込む時、宙に浮く工事桁１２の先端側の重量バランスをとるため、工事桁１２の陸地上に位置する部分を長くするか、陸地側端部にウエイト３２を載置するようにし、このようにして既設橋梁１の全長に対して工事桁１２を貫通させ、貫通した工事桁１２の両端部は橋台Ａ１とＡ２によって支持するようにし、既設橋梁１を貫通したこの工事桁１２においては、送り込み側に位置する一方の陸上側端部を小ばらし作業用の仮置位置Ｂに設定する。
【００５４】
上記のように、工事桁１２の設置が完了すると、図１１（ｃ）のように、この工事桁１２の上記仮置位置Ｂにおける上面に吊上げ設備１７を用いて台車１５を設置し、図１２（ａ）のように、自走台車１５ａと追従台車１５ｂを既設橋梁１の一方端部内に位置させ、この状態で、図１２（ｂ）のように、既設橋梁１の一方端部から所定長さの位置、具体的には、１の橋脚Ｐ１上に位置する部分において、主構３と橋桁６の主桁４を分断し、既設橋梁１の一方端部から分断位置までの間を短い長さになった分断既設橋梁１ａとする。
【００５５】
上記のような既設橋梁１の最初の分断位置は、第１の橋脚Ｐ１の上で行うことにより、既設橋梁１の残った部分の端部を第１の橋脚Ｐ１上に残すことができ、残った既設橋梁１の撓みによる崩壊の発生を防ぐことができ、また、分断作業時には自走台車１５ａと追従台車１５ｂの上面に設けたジャッキ２４を上方に伸ばし、分断既設橋梁１ａを上面部１１の複数箇所で支持するようにする。
【００５６】
このようにして分断された分断既設橋梁１ａは、台車１５によって支持された状態で、一方端部から適当な長さ範囲の部分の主構３と主桁４を切断することで小ばらしを行ない、分断既設橋梁１ａの長さ方向の短尺化を図って仮置位置Ｂのスペースを確保する。
【００５７】
主構３と主桁４の一方端部を小ばらして短くなった分断既設橋梁１ａは、図１２（ｂ）のように、台車１５の移動によって仮置位置Ｂに引き出し、この仮置位置Ｂで分断既設橋梁１ａの主構３と橋桁６を小ばらしし、これを陸地上に待機する運搬手段に積み込んで搬出する。
【００５８】
上記のように、最初の分断既設橋梁１ａを撤去すると、図１２（ｃ）のように、自走台車１５ａと追従台車１５ｂを残った既設橋梁１内に向けて移動させ、残った既設橋梁１を第２の橋脚Ｐ２の部分で分断し、次の分断既設橋梁１ｂを台車１５で仮置位置Ｂに移動させ、上記と同様主構３と橋桁６を小ばらしし、これを地上に待機する運搬手段に積み込んで搬出する。
【００５９】
なお、工事桁１２の上に設ける台車１５は二組を使用し、一方の台車１５で支持した分断既設橋梁を仮置位置Ｂで小ばらししている間、他方の台車１５を残った既設橋梁１の内部に進入させ、残った既設橋梁１の小ばらしを併行して行うようにすれば、撤去作業の能率が向上することになる。
【００６０】
このようにして、図１３（ａ）、（ｂ）のように、既設橋梁１を分断既設橋梁１ａ乃至１ｄに順次分断すると共に仮置位置Ｂへの移送、仮置位置Ｂでの分断既設橋梁１ａ乃至１ｄの主構３と橋桁６を小ばらし、これを地上に待機する運搬手段への積み込み搬出を順次繰り返すことにより、図１３（ｃ）のように、既設橋梁１の全長を撤去する。
【００６１】
上記分断既設橋梁１ａ乃至１ｄを仮置位置Ｂに移動させるとき、橋桁６における撤去構造の部分は、横桁５が予め切断除去されているので、工事桁用架台１３のベント柱１９に対して干渉することなく通過させることができる。
【００６２】
これに対して横桁５の盛り替え構造の部分は、横桁５の切り離し部分が連結材２７に変換されているので、連結材２７がベント柱１９に接近した位置で分断既設橋梁１ａ乃至１ｄを停止させ、上記連結材２７を取外した状態で分断既設橋梁１ａ乃至１ｄを移動させ、この横桁５がベント柱１９を通過すると再び分断既設橋梁１ａ乃至１ｄを停止させ、分断された横桁５を連結材２７で接続する盛り替えを行う。
【００６３】
上記した盛り替え作業は、盛り替え構造となっている横桁５がベント柱１９を通過するごとに行い、このような盛り替えは、ベント柱１９に対する横桁５の干渉を逃がすと共に、仮置位置Ｂへ移送するまでの分断既設橋梁１ａ乃至１ｄの強度を一定に保ち、作業の安全を確保するものであり、また、前記盛り替え作業は脚周り足場１４の上で行うことができる。
【００６４】
上記のようにして、既設橋梁１の全長を撤去すると、図１４（ａ）と（ｂ）のように、工事桁１２の上から自走台車１５ａと追従台車１４ｂを撤去し、この工事桁１２を送り出し設備１６で陸地上に向けて所定長さ引き出し、工事桁１２の引き戻した部分を作業台車３０で支持した状態で順次短尺工事桁１２ａに分解し、引き出しと分解を工事桁１２の長さ分だけ繰り返すことにより、工事桁１２の全長を撤去する。
【００６５】
上記工事桁１２の引き戻し時において、工事桁１２の先端が第３の橋脚Ｐ３に臨むと引き戻しを止め、この工事桁１２を足場として第３の橋脚Ｐ３に設置してある脚周り足場１４及び工事桁用架台１３を分解して撤去し、分解した構成部材は適宜の大きさにまとめて工事桁１２に取付けたり載置し、工事桁１２と共に引き戻し側に運び、このようにして工事桁１２の先端が第２の橋脚Ｐ２、第１の橋脚Ｐ１に臨むごとに、前記と同様第２の橋脚Ｐ２、第１の橋脚Ｐ１の脚周り足場１４及び工事桁用架台１３を分解して撤去し、工事桁１２と共に陸地に回収する。
【００６６】
このようにして工事桁１２と脚周り足場１４及び工事桁用架台１３を撤去し、更に、陸地上の作業台車３０とレール３１、送り出し設備１６及び吊上げ設備１７を撤去すれば、図１４（ｃ）に示すように、河川に橋台Ａ１、Ａ２と既設橋脚Ｐ１乃至Ｐ３が残った作業完了状態になる。
【００６７】
次に、図１５（ａ）と（ｂ）は、既設橋梁１の解体撤去をこの既設橋梁１の両端から同時に行い、撤去作業の能率向上を図ると共に、長尺の既設橋梁の撤去に適した第２の撤去工法を示している。
【００６８】
この第２の撤去工法は、既設橋梁１の両端から撤去作業を同時に行う以外は上述した第１の撤去工法と基本的に同一であるので、第１の撤去工法と同一部分に同一符号を付して説明する。
【００６９】
上記第２の撤去工法は、既設橋梁１の両端における陸地上に、レール３１と作業台車３０、送り出し設備１６及び吊上げ設備１７を設置し、既設橋梁１に対する先行工事の施工と同時に各橋脚Ｐ１乃至Ｐ３上に脚周り足場１４及び工事桁用架台１３を設置し、作業台車３０上で継ぎ増ししながら長くした工事桁１２を既設橋梁１内に長さ方向の両端から送り込み、これを工事桁用架台１３で支持し、送り込みの進行により両側工事桁１２の先端を既設橋梁１の長さ方向略中央位置で結合し、一本になったこの工事桁１２の両端部上に台車１５をそれぞれ設置するとともに工事桁１２の両端に仮置位置Ｂを設定し、上記第１の撤去工法で述べた既設橋梁１の端部における主構３、橋桁６の小ばらし、両端から既設橋梁１を各橋脚Ｐ１乃至Ｐ３の部分で切断して両端から分断既設橋梁１ａ、１ｂにする工程、分断既設橋梁１ａ、１ｂの仮置位置Ｂへの移送、仮置位置Ｂでの主構３、橋桁６の小ばらし、その後の工事桁１２の撤去等の一連の作業を既設橋梁１の両端において同時に行うものである。
【００７０】
この第２の撤去工法のように、既設橋梁１の両端から同時進行によって既設橋梁１の撤去作業を行うようにすると、工期の大幅な短縮が可能になる。
【００７１】
上記したように、この発明の第１及び第２の撤去工法は、既設橋梁１の全長にわたって工事桁１２を貫通させ、橋台Ａ１、Ａ２及び橋脚Ｐ１乃至Ｐ３で工事桁１２を支持し、端部から所定長さ位置で分断した分断既設橋梁１ａ乃至１ｄ又は１ａと１ｂを自走台車１５ａと追従台車１５ｂで支持して仮置位置Ｂへ移送し、この仮置位置Ｂで各分断既設橋梁を小ばらしすることで既設橋梁１の全長を解体撤去するものであるが、この撤去工法の実施に用いた各機材を使用して橋梁の新設工法の施工が可能である。
【００７２】
図１６乃至図１９は、橋梁の新設工法の施行工程を示し、上記した第１の撤去工法と同一部分については同一符号を使用して説明する。
【００７３】
図１６（ａ）のように、河川の幅方向両端に橋台Ａ１、Ａ２とその間に複数の橋脚Ｐ１、Ｐ２、Ｐ３が配置された状態で、図１６（ｂ）のように、橋台Ａ１、Ａ２と橋脚Ｐ１、Ｐ２、Ｐ３の並び方向における一方端部の陸地上に、敷設したレール上に作業台車とその近傍に吊上げ設備１７を設置し、前記一方端部における陸地上に送り出し設備１６と短尺の工事桁１２ａを搬入し、この工事桁１２ａを順次結合することにより工事桁１２を組み立て、その長さ方向を送り出し設備１６で橋脚Ｐ１、Ｐ２、Ｐ３上に向けて送り出し、前記工事桁１２の先端が最初の橋脚Ｐ１に臨むと、送り込みを止めた工事桁１２を利用して構成部材を搬入することで橋脚Ｐ１に脚周り足場１４及び工事桁用架台１３を設置し、図１６（ｃ）のように、工事桁１２の先端が橋脚Ｐ２、Ｐ３に臨むごとに橋脚Ｐ２、Ｐ３上に脚周り足場１４及び工事桁用架台１３を設置し、各工事桁用架台１３で途中を支持することにより、両端が橋台Ａ１、Ａ２上に達する長さの工事桁１２を架設する。
【００７４】
図１７（ａ）のように、橋台Ａ１、Ａ２と各橋脚Ｐ１、Ｐ２、Ｐ３の工事桁用架台１３で支持した工事桁１２の一方端部を仮置き位置Ｂに設定し、この工事桁１２の仮置き位置Ｂの上に台車１５を設置し、作業台車３０上において、陸地上に搬入した資材を吊上げ設備で吊上げることで橋桁と主構からなる短い第１の部分橋梁１ｅの組み立て作業を行い、この第１の部分橋梁１ｅを前記仮置き位置Ｂに送り込んで吊上げ移動させることで台車１５に移しかえ、図１７（ｃ）のように、台車１５の移動により、支持した第１の部分橋梁１ｅを他方端部の橋台Ａ２と橋脚Ｐ３の間に移送し、この位置で台車１５での支持を解くことで第１の部分橋梁１ｅを橋台Ａ２と橋脚Ｐ３の上に載置し、陸地上の作業台車３０上において次の第２の部分橋梁１ｆを組立て、仮置き位置Ｂに戻した台車１５に第２の部分橋梁１ｆを載せかえる。
【００７５】
図１８（ａ）乃至（ｃ）のように、工事桁１２の一方端部における作業台車３０上で第３と第４の部分橋梁１ｇ、１ｈを順次組立て、この第３と第４の部分橋梁１ｇ、１ｈを工事桁１２の他方端部に向けて送り込み、各短尺橋梁を橋桁と主構の部分で結合することで、全ての第１乃至第４の部分橋梁１ｅ〜１ｈを結合し、新設の橋梁１Ｘを組立てると同時に両側橋台Ａ１、Ａ２間に架設する。
【００７６】
上記各部分橋梁１ｅ〜１ｈを組立てて移送するとき、これら部分橋梁の橋桁における横桁は、図４や図６で示したと同様に、橋脚Ｐ１〜Ｐ３の上に設けた工事桁用架台１３と干渉する位置を予め分断しておき、工事桁用架台１３を通過した後に分断部分を結合すると共に、必要な分断部分は予め連結部材で結合しておき、工事桁用架台１３を通過するとき連結部材を取外し、工事桁用架台を通過した後に再度連結材等で結合する。
【００７７】
図１９（ａ）乃至（ｃ）のように、新設の橋梁１Ｘを両側橋台Ａ１、Ａ２間に架設すると、台車１５を撤去した工事桁１２を地上に引き戻してその全長を作業台車３０上で順次解体し、工事桁１２の引き戻しに並行して橋脚Ｐ１〜Ｐ３上の脚周り足場１４及び工事桁用架台１３の撤去、送り出し設備１６と吊上げ設備１７、レール３１と作業台車３０をそれぞれ撤収し、橋梁１Ｘの橋面２に対して舗装版、床版等を施工すれば作業の完了となる。
【００７８】
上記した橋梁の新設工法は、図示の場合、川幅の一方側から工事桁１２及び部分橋梁を送り込んで橋梁１Ｘを組立てる例を示したが、川幅の両側から工事桁１２及び部分橋梁を送り込んで橋梁１Ｘを組立てるようにすることも当然可能である。
【符号の説明】
【００７９】
１          既設橋梁
２          橋面
３          主構
４          主桁
５          横桁
６          橋桁
７          上弦材
８          縦材
９          斜材
１０        側面部
１１        上面部
１２        工事桁
１３        工事桁用架台
１４        脚周り足場
１５        台車
１６        送り出し設備
１７        吊上げ設備
１８        レール
１９        ベント柱
２０        支持台
２１        支持部材
２２        足場板
２３        手摺り
２４        ジャッキ
２５        角孔
２６        ボルト孔
２７        連結材
２８        ボルト、ナット
３０        作業台車
３１        レール
３２        ウエイト
【図１】
0005671373.tif 000002
【図２】
0005671373.tif 000003
【図３】
0005671373.tif 000004
【図４】
0005671373.tif 000005
【図５】
0005671373.tif 000006
【図６】
0005671373.tif 000007
【図７】
0005671373.tif 000008
【図８】
0005671373.tif 000009
【図９】
0005671373.tif 000010
【図１０】
0005671373.tif 000011
【図１１】
0005671373.tif 000012
【図１２】
0005671373.tif 000013
【図１３】
0005671373.tif 000014
【図１４】
0005671373.tif 000015
【図１５】
0005671373.tif 000016
【図１６】
0005671373.tif 000017
【図１７】
0005671373.tif 000018
【図１８】
0005671373.tif 000019
【図１９】
0005671373.tif 000020